(57)【要約】【課題】空気調和機用室内機等の空気熱交換器における伝熱フィン部分の凝縮水の流下を促進し、滞留を防止する。【解決手段】伝熱管１２，１２・・・、１２，１２・・・と、該伝熱管１２，１２・・・、１２，１２・・・に対してクロスする状態で多数枚並設された伝熱フィンＡ，Ａ・・・、Ｂ，Ｂ・・・と、該伝熱フィンＡ，Ａ・・・、Ｂ，Ｂ・・・の伝熱面に設けられた切起し片１３，１３・・・、１３，１３・・・とからなる熱交換器であって、上記切起し片１３，１３・・・、１３，１３・・・の上下両端部の角度を各々凝縮水が流下しやすい４５°以下の傾斜角とし、それによる急傾斜面を利用して凝縮水の流下を促進させるようにした。【選択図】        図２
2008215757.tif 000002
【特許請求の範囲】
【請求項１】
伝熱管１２，１２・・・、１２，１２・・・と、該伝熱管１２，１２・・・、１２，１２・・・に対してクロスする状態で多数枚並設された伝熱フィンＡ，Ａ・・・、Ｂ，Ｂ・・・と、該伝熱フィンＡ，Ａ・・・、Ｂ，Ｂ・・・の伝熱面に設けられた切起し片１３，１３・・・、１３，１３・・・とからなる熱交換器であって、上記切起し片１３，１３・・・、１３，１３・・・の上下両端部の角度を各々凝縮水が流下しやすい４５°以下の傾斜角としたことを特徴とする熱交換器。
【請求項２】
上記切起し片１３，１３・・・、１３，１３・・・が、スリットであることを特徴とする請求項１記載の熱交換器。
【請求項３】
上記切起し片１３，１３・・・、１３，１３・・・が、ルーバーであることを特徴とする請求項１記載の熱交換器。
【請求項４】
当該熱交換器が、空気調和機用室内機の熱交換器であることを特徴とする請求項１，２又は３記載の熱交換器。
【発明の詳細な説明】
【技術分野】
【０００１】
本願発明は、空気調和機用室内機等の熱交換器の構造に関するものである。
【背景技術】
【０００２】
例えば空気調和機用室内機の熱交換器としては、一般にクロスフィンコイル型の空気熱交換器が採用されており、冷房運転時に熱交換器（蒸発器）表面で生じた凝縮水は、重力により当該熱交換器のフィン表面に沿って流下し、その下方に設けられているドレンパン部分に集められて室外に排出されるようになっている（特許文献１を参照）。
【０００３】
今、このような熱交換器を備えて構成された従来の空気調和機用室内機の構成を図４および図５に示す。
【０００４】
すなわち、この従来例では、上方側から下方側にλ字状に折り曲げられた所謂ラムダ形の空気熱交換器３２とクロスフローファン３１とを用いて上面側および前面側吸込み、斜め下方吹きの壁掛け型空気調和機用室内機１を構成しており、符号２０は、当該壁掛け型空気調和機用室内機１のカセット型の本体ケーシングである。該本体ケーシング２０は、その背面側パネル部分が当該部屋の壁面に当接するようにして、同壁面に設置されるようになっている。
【０００５】
そして、上記本体ケーシング２０の前面側から上面側には、空気吸込口２５が設けられ、その内側にはラムダ型の空気熱交換器３２とクロスフローファン３１が設けられている。ラムダ型の空気熱交換器３２は、前部側熱交部３２ａと後部側熱交部３２ｂとからなり、それらの内側下方にクロスフローファン３１を設けて設置されている。クロスフローファン３１は、スクロール構造の温調用送風通路３０を介して本体ケーシング２０の前面側底部の空気吹出口２９から斜め下方に温調空気を吹出すようになっている。
【０００６】
上記空気熱交換器３２は、その前部側熱交部３２ａおよび後部側熱交部３２ｂ各々の下端を各々ドレンパン２８ａ，２８ｂ内に固定することによって支持されている。
【０００７】
上記空気熱交換器３２の熱交部は、例えば図５に示されるように、空気流Ｆの上流側から下流側にかけて前後２列で、それぞれ交互に位置をズラせて配設された伝熱管１２，１２・・・、１２，１２・・・と、該伝熱管１２，１２・・・、１２，１２・・・の各々に対して所定のピッチを保って多数枚嵌装並設された伝熱フィンＡ，Ａ・・・（上流側）、Ｂ，Ｂ・・・（下流側）と、該伝熱フィンＡ，Ａ・・・、Ｂ，Ｂ・・・の伝熱面上の各伝熱管１２，１２・・・、１２，１２・・・間の上下スペース領域において設けられた前後複数列のスリット（又はルーバー）等の切り起し片１３，１３・・・、１３，１３・・・と、上記伝熱フィンＡ，Ａ・・・、Ｂ，Ｂ・・・並設方向の両端側に設けられた図示しない管板とから構成されている。
【０００８】
上記上下伝熱管１２，１２間の切起し片１３，１３・・・、１３，１３・・・は、例えば上流側から下流側にかけて（図示左側から右側にかけて）前後両端側のもの１３ａ，１３ａが長く、中間のもの１３ｂ，１３ｂが短かい前後４列のものからなっており、それらの各々１３ａ，１３ｂ、１３ｂ，１３ａの上下両端部は、例えば図５に詳細に示すように、いずれも傾斜角θが４６°〜９０°のものに構成され、しかも上下伝熱管１２，１２の管面形状に対応した円弧形状に形成されている。
【０００９】
したがって、該構成の場合、例えば冷房又は暖房運転時において、送風手段である上記クロスフローファン３１が駆動されると、上記空気吸込口２５から室内の空気が吸込まれ、上記λ形状で熱交面積が大きく、しかも空気吸込領域の広い上記のような空気熱交換器３２を介して低圧損で均一かつ効果的に熱交換された温調空気（冷気又は暖気）が、上記前面部下方の空気吹出口２９から吹き出され、下方に降下して行くことによってユーザーに対する快適な冷房又は暖房空調環境が実現される。
【００１０】
そして、このような壁掛け型の空気調和機用室内機に適用された上記空気熱交換器３２では、特に同熱交換器３２が蒸発器となる冷房運転時の場合、上記伝熱フィンＡ，Ａ・・・、Ｂ，Ｂ・・・の伝熱面上で空気中の水分が凝縮し、同伝熱面上に多数の結露が生じるとともに、それらが上記スリット（又はルーバー）等の切り起し片１３，１３・・・、１３，１３・・・部分に付着し、滞留する。
【００１１】
これら冷房運転時に熱交換器表面で生じた凝縮水は、さらに運転停止後もフィン間に滞留し、残存する。そして、この水がフィン表面への環境浮遊物の付着や、菌の繁殖、あるいはフィンの腐食などを引き起こし、親水性の劣化や臭いの発生の原因となる。
【００１２】
もちろん、同構成の場合、上記空気熱交換器３２の前後各熱交部３２ａ，３２ｂは、例えば図４からも明らかなように、略鉛直状態に近い極めて小さな傾斜角（水平方向を最大として）で設置されている。
【００１３】
したがって、それら凝縮水は重力によつて可能な限りフィン面に沿って下方に流され、ドレンパン２８ａ，２８ｂ内に集められるようになっている。
【００１４】
【特許文献１】特開２０００−１７１１８６号公報
【発明の開示】
【発明が解決しようとする課題】
【００１５】
しかし、実際には上記伝熱フィンＡ，Ａ・・・、Ｂ，Ｂ・・・のフィンピッチが狭いことや、またフィン面の発水性の低下などにより、熱交換器自体が鉛直に近い図４のような起立状態に設置されている場合であっても、上記フィン間に滞留する凝縮水が長時間流下しにくいのが実情である。
【００１６】
また、空気調和機用室内機の機種によっては、例えば図６に示されるように、その構造上、空気熱交換器４２の主要部４２ａが風上側を鉛直方向から下向きに傾けて設置されているものがあり、そのような場合、重力の作用がフィン上下方向（長手方向）および切起し片上下方向に作用しにくいことに加えて、重力の向きと風の向きが逆になるため、上述した凝縮水の挙動自体が不安定となり、空気吹出口４９からの水飛びにもつながる問題がある。
【００１７】
なお、図６中、１は空気調和機用室内機、３は天井、４０は送風通路、４１はクロスフローファン、４２は熱交換器、４２ａは熱交換器４２の所定角以上の傾斜部（主要部側）、４２ｂは上端部、４４は天井パネル、４５は空気吸込口、４８ａ〜４８ｃは第１〜第３のドレンパン、４９は空気吹出口、５０は本体ケーシングである。
【００１８】
これらの問題は、上述の切起し片１３，１３・・・の前後両端側のスリット１３ａ，１３ａが、例えば図７のように上下２つに分割された上下分割スリット（又はルーバー）１３ａ，１３ａ、１３ａ，１３ａの場合にも全く同様である。
【００１９】
本願発明は、このような問題を解決するためになされたもので、上下伝熱管の間に設けられたスリットまたはルーバ等の切起し片の上下各端部の角度を全て４５°以下の鋭角として水の流下を促進するようにした空気調和機用室内機等に適した熱交換器を提供することを目的とするものである。。
【課題を解決するための手段】
【００２０】
本願発明は、上記の目的を達成するために、次のような課題解決手段を備えて構成されている。
【００２１】
（１）  請求項１の発明
この発明の熱交換器は、伝熱管１２，１２・・・、１２，１２・・・と、該伝熱管１２，１２・・・、１２，１２・・・に対してクロスする状態で多数枚並設された伝熱フィンＡ，Ａ・・・、Ｂ，Ｂ・・・と、該伝熱フィンＡ，Ａ・・・、Ｂ，Ｂ・・・の伝熱面に設けられた切起し片１３，１３・・・、１３，１３・・・とからなる熱交換器であって、上記切起し片１３，１３・・・、１３，１３・・・の上下両端部の角度を各々凝縮水が流下しやすい４５°以下の傾斜角としたことを特徴としている。
【００２２】
このような構成によれば、凝縮水が、当該伝熱フィンＡ，Ａ・・・、Ｂ，Ｂ・・・間、特に伝熱フィンＡ，Ａ・・・、Ｂ，Ｂ・・・の当該切起し片１３，１３・・・、１３，１３・・・間に滞留せず、それらの上下各端部からスムーズに下方に流下するようになる。これにより、フィン表面への環境浮遊物の付着、菌の繁殖、フィンの腐食などを防止することができる。
【００２３】
また、冷房運転中の水はけ性も良好となるため、冷房能力の向上や通風抵抗の低減、および水飛びの防止が可能となる。
【００２４】
（２）  請求項２の発明
この発明の熱交換器は、上記請求項１の発明の構成において、上記切起し片１３，１３・・・、１３，１３・・・が、スリットであることを特徴としている。
【００２５】
このような構成によれば、凝縮水が、当該伝熱フィンＡ，Ａ・・・、Ｂ，Ｂ・・・間、特に伝熱フィンＡ，Ａ・・・、Ｂ，Ｂ・・・の当該スリット１３，１３・・・、１３，１３・・・間に滞留せず、それらの上下各端部からスムーズに下方に流下するようになる。これにより、フィン表面への環境浮遊物の付着、菌の繁殖、フィンの腐食などを防止することができる。
【００２６】
また、冷房運転中の水はけ性も良好となるため、冷房能力の向上や通風抵抗の低減、および水飛びの防止が可能となる。
【００２７】
（３）  請求項３の発明
この発明の熱交換器は、上記請求項１の発明の構成において、上記切起し片１３，１３・・・、１３，１３・・・が、ルーバーであることを特徴としている。
【００２８】
このような構成によれば、凝縮水が、当該伝熱フィンＡ，Ａ・・・、Ｂ，Ｂ・・・間、特に伝熱フィンＡ，Ａ・・・、Ｂ，Ｂ・・・の当該ルーバー１３，１３・・・、１３，１３・・・間に滞留せず、それらの上下各端部からスムーズに下方に流下するようになる。これにより、フィン表面への環境浮遊物の付着、菌の繁殖、フィンの腐食などを防止することができる。
【００２９】
また、冷房運転中の水はけ性も良好となるため、冷房能力の向上や通風抵抗の低減、および水飛びの防止が可能となる。
【００３０】
（４）  請求項４の発明
この発明の熱交換器は、上記請求項１，２又は３の発明の構成において、当該熱交換器が、空気調和機用室内機の熱交換器であることを特徴としている。
【００３１】
以上の各発明の構成の熱交換器によれば、当該熱交換器が空気調和機用室内機の熱交換器である場合において、冷房運転を行った時の伝熱フィン各々の切起し片部分の凝縮水がスムーズに下方側ドレンパンに排出されるようになる。
【発明の効果】
【００３２】
以上の結果、本願発明によると、フィン表面への環境浮遊物の付着、菌の繁殖、フィンの腐食などが生ぜず、冷房運転中の水はけ性も良好で、冷房能力の向上、通風抵抗の低減、水飛びの防止等が可能な空気調和機用の室内機に適した高性能の空気熱交換器を簡単かつ低コストに提供することができるようになる。
【発明を実施するための最良の形態】
【００３３】
（最良の実施の形態１）
図１および図２は、本願発明の最良の実施の形態１に係る空気調和機用室内機（図４参照）に適した熱交換器の構成および作用を示している。
【００３４】
すなわち、この実施の形態の空気熱交換器３２ａ（３２ｂ）は、例えば空気流Ｆの上流側から下流側方向に２列で、それぞれ交互に位置をズラせて配設された伝熱管１２，１２・・・、１２，１２・・・と、該伝熱管１２，１２・・・、１２，１２・・・の各々に対して所定のピッチを保って多数枚嵌装並設された伝熱フィンＡ，Ａ・・・（上流側）、Ｂ，Ｂ・・・（下流側）と、該伝熱フィンＡ，Ａ・・・、Ｂ，Ｂ・・・の伝熱面上の各伝熱管１２，１２・・・、１２，１２・・・間の上下スペース領域において設けられた前後複数列のスリットよりなる切り起し片１３，１３・・・、１３，１３・・・と、上記伝熱フィンＡ，Ａ・・・、Ｂ，Ｂ・・・の両端側に設けられた図示しない管板とから構成されている。
【００３５】
本実施の形態の場合、上記上下伝熱管１２，１２間の上記切起し片１３，１３・・・、１３，１３・・・は、例えば空気流Ｆの上流側から下流側に（図示左側から右側に）かけて、前後両端側のもの１３ａ，１３ａが長く、それらの間の中間のもの１３ｂ，１３ｂが短かい前後４列の構造のものからなっているが、それらの各々１３ａ，１３ｂ、１３ｂ，１３ａの上下両端部は、例えば図２に詳細に示すように、いずれも傾斜角θが４５°以下となる鋭角形状に構成されており、それぞれフィン面を伝わって当該スリット１３ａ，１３ｂ、１３ｂ，１３ａ部分に流入する凝縮水がスムーズに流入するとともに、さらに流入した凝縮水がスムーズに下方側に流れ出て、同スリット部分に滞留することなく速やかに下方のドレンパン側にに流下するようになっている。
【００３６】
従来の構成では、例えば図５の構成から明らかなように、前後両端側のスリット１３ａ，１３ａの上下両端部の傾斜角が少なくとも４５°よりも大きく（４６°以上）、しかも上下伝熱管１２，１２の管面形状に対応した円弧形状に形成されているとともに、それらの中間部のもの１３ｂ，１３ｂは略９０°のフラット面に形成されており、それら各スリット１３ａ，１３ｂ、１３ｂ，１３ａ内に流入した凝縮水が底部側に滞留してしまい、空調用室内機の運転を停止しても長時間流下しない問題があった。
【００３７】
また、それら各スリット１３ａ，１３ｂ，１３ｂ，１３ａの上端部側が凹面形状又はフラット面形状であるために、それらの部分で上方からの凝縮水が係留され、伝熱フィンＡ，Ａ・・・、Ｂ，Ｂ・・・のフィン面間にも凝縮水が滞留しやすかった。
【００３８】
ところが、上記本実施の形態の構成によると、それら各スリット１３ａ，１３ｂ，１３ｂ，１３ａの上端部が、図２のように何れも鋭角状の急傾斜面となり、フィン面を流下して来る凝縮水は、各スリット１３ａ，１３ｂ，１３ｂ，１３ａの上端部分に停まることなく重力で下方にスムーズに流下し、しかも下端部分の同様の急傾斜面を介してスムーズに下方側フィン面に流下せしめられる。
【００３９】
したがって、各伝熱フィンＡ，Ａ・・・、Ｂ，Ｂ・・・のフィン面間はもちろん、スリット１３ａ，１３ａ・・・、１３ｂ，１３ｂ・・・、１３ｂ，１３ｂ・・・、１３ａ，１３ａ・・・部分にも凝縮水が滞留しなくなり、フィン表面への環境浮遊物の付着、菌の繁殖、フィンの腐食などを確実に防止することができるようになる。
【００４０】
また、冷房運転中の水はけ性も良好となるため、冷房能力自体の向上や通風抵抗の低減、および水飛びの防止も可能となる。
【００４１】
（変形例）
なお、以上の説明および図示の形態における切り起し片１３，１３・・・、１３，１３・・・については、上述のようなスリット１３ａ，１３ｂ，１３ｂ，１３ａに限らずルーバーでもよく、また各種の形態および個数、列数のものを採用することができる。
【００４２】
（最良の実施の形態２）
次に図３は、本願発明の最良の実施の形態２に係る空気調和機用室内機に適した空気熱交換器の構成示している。
【００４３】
この実施の形態では、上記最良の実施の形態１と同様のクロスフィンコイル型空気熱交換器において、前後両端側に上述の図７の従来例と同様の上下分割型のスリット１３ａ，１３ａ、１３ａ，１３ａを採用した場合において、上記最良の実施の形態１の構成のように、それらの各々１３ａ，１３ａ、１３ａ，１３ａの上下両端部を、例えば図３に示すように、いずれも傾斜角θが４５°以下となる鋭角形状に構成しており、それぞれフィン面を伝わって当該スリット１３ａ，１３ａ、１３ｂ、１３ｂ、１３ａ，１３ａ部分に流入した凝縮水がスムーズに下方側に流れ出て、同部分に滞留することなく速やかに下方に流下するようになっている。
【００４４】
このような構成の場合にも、上述の最良の実施の形態１の場合と全く同様にスムーズな凝縮水の排出作用を実現することができる。
【００４５】
（各種の適用形態）
なお、上記最良の実施の形態１，２の各熱交換器は、例えば前述した図４，図６のような構成の空気調和機用室内機のクロスフィンコイル型空気熱交換器として最適なものとなり、伝熱フィン表面への環境浮遊物の付着、菌の繁殖、フィンの腐食などが生ぜず、冷房運転中の水はけ性も良好で、冷房能力向上、通風抵抗の低減、水飛び等の防止が可能な空気調和機用の室内機を簡単かつ低コストに提供することができるが、本願発明の熱交換器は、その他にも各種の形態の冷凍装置に適用することができることは言うまでもない。
【図面の簡単な説明】
【００４６】
【図１】本願発明の最良の実施の形態１に係る空気熱交換器の構成を示す一部切欠正面図である。
【図２】同空気熱交換器の要部の構成を拡大して、その作用を示す一部切欠断面図である。
【図３】本願発明の最良の実施の形態２に係る空気熱交換器の構成を示す一部切欠正面図である。
【図４】第１の従来例に係る空気熱交換器を採用して構成した空気調和機用室内機の構成を示す断面図である。
【図５】同空気熱交換器の要部の構成を示す一部切欠断面図である。
【図６】第２の従来例に係る空気熱交換器を採用して構成した空気調和機用室内機の構成を示す断面図である。
【図７】第３の従来例に係る空気熱交換器の要部の構成を示す一部切欠断面図である。
【符号の説明】
【００４７】
１は空気調和機用室内機、３は天井、１２は伝熱管、１３は切り起し片、１３ａ，１３ｂはスリット（又はルーバー）、２５，４５は空気吸込口、２９，４９は空気吹出口、２８ａ，２８ｂ，４８ａ〜４８ｃはドレンパン、３０，４０は送風通路、３２，４２は熱交換器である。
【図１】
2008215757.tif 000003
【図２】
2008215757.tif 000004
【図３】
2008215757.tif 000005
【図４】
2008215757.tif 000006
【図５】
2008215757.tif 000007
【図６】
2008215757.tif 000008
【図７】
2008215757.tif 000009